(57)【要約】【課題】  魚釣針を肉眼で容易に視認して外すことができる光源付魚釣針外し器具の提供。【解決手段】  先端部、軸部、手元部からなる魚釣針取外し器具において、手元部に光源を設けると共に、軸部は表面平滑にして透光性で構成されていることを特徴とする光源付魚釣針取外し器具である。【選択図】  図１
0003137747.tif 000002
【実用新案登録請求の範囲】
【請求項１】
先端部、軸部、手元部からなる魚釣針取外し器具において、手元部に光源を設けると共に、軸部は表面平滑にして透光性で構成されていることを特徴とする光源付魚釣針取外し器具
【請求項２】
先端部表面の少なくとも一部が粗面である請求項１記載の光源付魚釣針取外し器具
【考案の詳細な説明】
【技術分野】
【０００１】
本考案は、魚の喉にかかった釣針魚を傷めることなく外す釣針外し具に関し、特に、喉の奥深く飲み込まれた釣針や夜釣りの際に飲み込まれた釣針を魚の喉から魚を傷めることなく外す光源付釣針外し器具に関する。
【背景技術】
【０００２】
魚の喉にかかった釣針を外す釣針外し器具については色々と提案されているが、一般的に用いられている釣針外し器具は鋼棒の先端に糸の通る切れ込みのある環をつけた形をしており、糸を環に通して針まで導き、針を喉の奥に押し込み、先端を押したりひねったりすることによってかかった針を外している。
【０００３】
従来技術によって開発された釣針外し器具では肉眼で視認して行うため、魚の喉の奥深くに飲み込まれた視認しにくい針あるいは夜釣りにおいては、手探り状態で針を環に引っ掛ける操作を行っている為、針が刺さった位置よりも針外し器具を奥まで押し込みすぎたり、捻りすぎたりして魚を弱らせ、操作しにくい場合は危険な魚でも長時間手で触れなければならない等の不都合があった。
【０００４】
更には、手探り状態での操作では、釣針の針先がどの方向に向いて魚の喉にかかっているかが確認しにくく、たとえ針をラジオペンチなどで確実に把持出来たにしても針外しのコツを判断するのが難しい上、魚の口の奥から外した釣針を取り出す時に、釣針の針先が魚の口元を刺しているため、いったん抜けた針がまた別の部分に再び刺さることが多く、一度で確実に針を外すことは事実上困難である、という問題点があった。
【０００５】
特に魚の喉の奥深くに刺さった針や夜釣りにおいては魚の口の中の詳細を確認することが難しい。そのため懐中電灯やヘッドランプを用いて魚の口部分を照らしつつ針外し作業を行うが、口の内部まで照らすには明るさが不十分である。更に明るい照明器具を用いると、漏れる明かりによって漁場に集まっている魚を逃がしてしまう可能性が有るので、明るい照明器具を用いることには抵抗があった。そのため盲目的で暴力的な針外し作業が行われ、つり上げた魚を弱らす主原因になっていた。魚の喉に刺さった魚釣針を肉眼で視認しやすいようにした魚釣針外し器具についての先行文献は余り見かけない。
【０００６】
例えば、特許文献１には、 等径、又は、円錐状に巻いたスパイラルの一端にハリスを挿入する開放部を有し、他端をスパイラルの軸心と略平行になる方向に直線状に伸ばして柄部を構成した釣魚の釣針飲込み外し器具であって、端部にリング状のリング状端部を設け、このリング状端部の内側に蛍光又は蓄光の樹脂により形成したビーズ玉を設けたことを特徴とする釣針飲込み外し器具が開示されている。この特許公報に開示されている釣針飲込み外し器具ではリング状端部の内側に蛍光又は蓄光の樹脂により形成したビーズ玉を使用するので、保管場所が容易に解り、釣魚の釣針飲込み外し器具の操作が容易に出来るのであるが、針を外す為に十分か明るさを有するものではない。
【０００７】
また、特許文献２には、丸細筒形の懐中電灯を着脱自在に挾着し、かつ一方のクリップ摘まみ部の前部に、反射鏡を前記懐中電灯の照明方向に向け上下回動自在にネジ止めしてなるクリップ本体に於て、前記クリップ摘まみ部に続くクリップ挟み板の下端縁を延出させ、前記懐中電灯の直下にて同方向に切欠円筒部を形成し、該切欠円筒部に、前端に凹穴を設けた釣針外し棒を嵌脱自在に嵌挿してなることを特徴とする釣針外し器が開示されている。
この特許公報に開示されている釣針外し器は釣魚の針の掛かり具合を、鏡面を覗きながら作業するもので、その際懐中電灯のような照明器具をクリップ本体に挟着してあるので操作がし易いというものであるが、器具としてやや複雑なきらいがある。
【特許文献１】特開２００１−２９９１７５号公報
【特許文献２】特開平０８−２５６６５５号公報
【考案の開示】
【考案が解決しようとする課題】
【０００８】
本考案者は、夜釣りや魚の喉の奥深くに刺さった魚釣針を肉眼で視認しこれを容易に外す魚釣針外し器具について、種々検討した結果、本考案を完成したもので、本考案の目的は魚釣針を肉眼で視認して外すことができる魚釣針外し器具を提供することである。
【課題を解決するための手段】
【０００９】
本考案の要旨は、先端部、軸部、手元部からなる魚釣針取外し器具において、手元部に光源を設けると共に、軸部は表面平滑にして透光性で構成されていることを特徴とする光源付魚釣針取外し器具である。
【考案の効果】
【００１０】
本考案では軸部が表面平滑にして透光性を有するので手元部にある光源より発せられた光は全反射して軸部を通過して先端部を照らし、魚釣針の状態を肉眼で視認することができるので、魚を傷めることなく取り外し操作を容易に行うことが出来る。
【考案を実施するための最良の形態】
【００１１】
本考案について詳細に述べる。
本考案の先端部、軸部、手元部からなる魚釣針取外し器具としては通常使用されている魚釣針取外し器具でよく、その形状や寸法について特に制限されるものではない。例えば先端部は環状、箆状、螺旋状等何れの形状でも良く、その表面は平滑でも粗面でもよい。そして、ハリス（釣り糸）は先端部に設けてある開口部を経て釣針をつける。軸部は直線状でも屈曲していてもよいが、その表面は平滑であることを要し、軸部を構成する材質としては透光性であることを要する。軸部を構成する材質として具体的には、アクリル樹脂やポリカーボネート樹脂等の透光性に優れた合成樹脂が使用される。また、強度において問題があると考えられる場合には軸部の心棒にステンレス鋼を用い、その周囲はアクリルのような透光性を持つ素材で出来た管で覆う事も可能である。軸部のみならず、先端部も透光性がある材質で作成されていれば、更に魚の口の中全体を明るくするのには好都合である。
また、軸部と先端部とを透光性のある素材で一体化して製造すると、更に作業性が容易となる。先端部の表面の少なくとも一部を粗面とすることによって乱反射させて明るくすることが好ましい。
手元部分の材質は木でも金属であってもかまわない。これに光源を組み込む。
光源としては特に制限はなく、例えば発光ダイオード等を使用すればよい。
【００１２】
本考案においては軸表面が平滑であるので光は軸内部で全反射を繰り返して光量を減ずることなく光を漏らさずに先端まで到達することが出来る。そして先端の断端部分から光が外部に出て魚の口の中を選択的に照らすことが出来る。手元部の光源より先端部まで光が導かれる原理は丁度ライトガイド方式を取り入れた小児用の耳掻き具と同様な原理である。
【実施例】
【００１３】
実施例として図面をもって本考案を更に具体的に説明する。
図１は本考案にかかる釣針外し器具の基本的な形態の斜視図であり、図２は他の形態の斜視図で、図３は図２の軸部横断面図を示す。
図１において、本考案にかかる釣針外し器具は先端部１、軸部２及び手元部３からなり、手元部３には光源６を設け、軸部の先端部寄りに屈曲部７を有す。その形状は茶道に用いる茶杓様の如く先端が細長くてカーブした構造であって、その先端部分に側面から切り込み溝（ガイド溝）４を持つ窓５があけられた形状である。
図２は図１と同様な形状を有するが、軸部２がステンレス鋼８の周囲にアクリルのような透光性を持つ素材９で覆うった材質で構成されている。図３はその状態を示す。
【００１４】
更に詳細に述べれば、この釣針外し具の先端には細長く薄くて平坦な篦状部分７があり、その最先端付近に窓５を有する。その窓は側方からの切れ込みの溝４によって開口し、糸を窓内に導くことが出来る。該篦状部分７は幅４〜２０ｍｍ厚み０．３〜４ｍｍ長さ１０〜８０ｍｍの範囲内の細長い形状であり、更には幅５〜１８ｍｍ厚み０．６〜４ｍｍ長さ１５〜６０ｍｍの範囲内で有ることが好ましい。
該篦状先端部１には、該先端部の最先端寄りに窓５を有するが、そのサイズは径３〜１８ｍｍ、更には径５〜１０ｍｍの範囲内で有ることが好ましい。
【００１５】
該篦状先端部１には最先端より８〜７０ｍｍの範囲の軸部２寄りの部分において２０〜８０度の角度を持って屈曲している。この屈曲部７の位置は更には最先端より１０〜３０ｍｍの範囲内に有ることが好ましく、屈曲角度は更に２０〜７０度の範囲内であることが好ましい。
【００１６】
細長い篦状先端部の窓より手元部は平坦である。この部分は魚の喉から外れた針の先端が押し当てられる部分に位置し窓にかかった針の先端を受け止めるため、窓のどの部分に針がかかろうとも針先を受け得るように、少なくとも窓の径よりも幅広である。
本考案の魚釣針外し器具を用いることによって、針は喉の奥深くに刺さっていても確実に外すことが出来るのみならず、一度外れた針先は、それを引き出すときにおいて、決して再度引っかかるような事がないため、釣った魚には極力傷つけることなく速やかに、簡単に釣針はずし作業が出来る。
【００１７】
手元把持部に光源として発光ダイオードを組み込み、軸部は平滑で透光性を持つアクリル樹脂で作成されているので手元の微少な光を魚の口の中まで該軸部を介して誘導することが可能となり、口の中が選択的に明るくなり、針先の確認が容易となって、昼間に行うと同等の確実な作業をなしえる。また、先端部の少なくとも一部を粗面とすることによって乱反射して該部分を一層明るくすることが出来る。
微弱な光であっても魚の口の至近距離で照らすことが出来るので、特に夜間の作業がやりやすくなる。
【００１８】
次に、夜釣りにおいてチヌ（黒鯛）をつり上げた際に本考案にかかる魚釣針外し具の使用実例を示す。チヌは通常は余り針を飲み込まないが、飲み込んだ場合は取り外し難い。そのため懐中電灯やヘッドライトを用いて照らしながら針外しを行うが、このような動く光が有ると、近くに来ているチヌが逃げてしまうため、一匹のチヌを釣り上げると、その場所では次のチヌを釣り上げる事が難しいのが実情である。しかし本考案の魚釣針外し器具を用いると、懐中電灯やヘッドライトを使用することなく、チヌの口の中だけを選択的に照らして適切な針外しを手際よく短時間に行うことが可能となった。
使用方法は、本考案の針外し具の先端窓部分にチヌのかかった糸を通して針外し具をチヌの口の中に推し進め、この状態で手元把持部にある光源の電源を入れると、口の中だけが明るくなり、その状態で針外し器具を更に推し進めると、急に抵抗が無くなった。そこで糸手元に引いて緊張を持たせつつ針外し器具を引き出すと、針はチヌの口から他の部分にかかる事無く一度で外すことができた。この間、約８秒であった。このようにして同じ場所で一晩の約２時間で７匹のチヌを釣り上げることができ、いずれのチヌも翌日、生け簀の中で元気であった。この結果、本考案にかかる釣針外し器具を使用することで魚への損傷を最小限に押さえることが可能であることが判ったのみならず、漁場にいる未釣り上げの魚を不要な光で刺激することないことから、同じ場所で次々と魚を釣り上げることができるというメリットが明らかとなった。
【産業上の利用可能性】
【００１９】
単純な構造のため安価で作成することができ、壊れにくく、取り扱い性に優れる針はずし器具である。これを用いることによって、つり上げた魚への損傷を最小限に抑えられる。そのため、釣りをスポーツとして捉え、つり上げた魚をその場で戻すcatch and releaseに最適であると同時に、食用にする魚においては、活かすことによって鮮度を維持したまま持ち帰ることが可能となるばかりか、針を喉の奥に残すような、その後の調理において危険な状況の発生を未然に回避することが出来る。更には夜釣りにおいては、ヘッドライトや懐中電灯などの不要な光で漁場の魚を刺激し、荒らす事無く釣りを楽しむことが出来るため、夜も昼も、釣針外しの広い範囲において利用価値が高い。
【図面の簡単な説明】
【００２０】
【図１】本考案の光源付釣針外し器具の斜視図。
【図２】他の本考案の光源付釣針外し器具の斜視図。
【図３】図２のＡＡ線の断面図
【符号の説明】
【００２１】
１  先端部    ２  軸部    ３  手元部    ４  ガイド溝（切り込み溝）
５  窓    ６  光源    ７  湾曲部分    ８  ステンレス鋼
９  透光性素材
【図１】
0003137747.tif 000003
【図２】
0003137747.tif 000004
【図３】
0003137747.tif 000005